(57)【要約】【課題】  屋外に設置される電子機器の発光部の視認性を確保しつつ視認性を可変できる電子機器を提供する。【解決手段】  電子機器は、発光部の発光を放射する窓部を前面に備え発光部の発光に関連する回路基板アセンブリを収納する筐体を含む。筐体の前面において、窓部の一方の側方及び上方から前方に突出するオーバーハング部と、オーバーハング部に隣接し且つ窓部が位置する凹部と、を備える。【選択図】図３
2019073936.tif 000002
【特許請求の範囲】
【請求項１】
発光部の発光を放射する窓部を前面に備え前記発光部の発光に関連する回路基板アセンブリを収納する筐体を含む電子機器であって、
前記筐体の前面において、前記窓部の一方の側方及び上方から前方に突出するオーバーハング部と、前記オーバーハング部に隣接し且つ前記窓部が位置する凹部と、を備えることを特徴とする電子機器。
【請求項２】
前記オーバーハング部の前記窓部に沿った部分に前記窓部の下方に傾斜する曲面形状を有することを特徴とする請求項１記載の電子機器。
【請求項３】
前記筐体の後面に前記筐体の保持手段を備えることを特徴とする請求項１又は２記載の電子機器。
【発明の詳細な説明】
【技術分野】
【０００１】
本発明は、屋外に設置され発光部を有する電子機器に関する。
【背景技術】
【０００２】
屋外に設置され発光部を有する電子機器として、道路等の工事現場においてその境界線上に配置されるカットコーンの上部に装着されるカットコーン用の転倒検出機能付発光灯がある（特許文献１）。
【先行技術文献】
【特許文献】
【０００３】
【特許文献１】実用新案登録第３１９９４３０号公報
【発明の概要】
【発明が解決しようとする課題】
【０００４】
上記の転倒検出機能付発光灯は、走行車両の運転手等の目視者からの視認性向上の為、発光面を走行車両に正対する方向（目視者から目視できる方向）に取り付けられている。昼間の晴天時、発光面への日差しにより発光面が目視でき難くなる問題がある。また、夜間の場合、当該発光灯の脇を走行する車両の運転手の脇見運転を誘発する可能性があるという問題点もある。
【０００５】
本発明は、以上の従来技術の問題点に鑑みなされたものであり、屋外に設置される電子機器の発光部の視認性を確保しつつ、視認性を可変できる電子機器を提供することを目的とする。
【課題を解決するための手段】
【０００６】
本発明の電子機器は、発光部の発光を放射する窓部を前面に備え前記発光部の発光に関連する回路基板アセンブリを収納する筐体を含む電子機器であって、
前記筐体の前面において、前記窓部の一方の側方及び上方から前方に突出するオーバーハング部と、前記オーバーハング部に隣接し且つ前記窓部が位置する凹部と、を備えることを特徴とする。
【発明の効果】
【０００７】
本発明の電子機器によれば、オーバーハング部があることで直射日光が当たりにくくなり、発光部の視認性が向上するとともに、オーバーハング部に隣接する窓部が位置する凹部があることで、発光部を臨む位置に応じて目視しにくくなるという効果が得られる。
【図面の簡単な説明】
【０００８】
【図１】路上における工事灯とこれが装着されるコーンを使用する例を説明する図である。
【図２】路上における電子機器とこれが装着されるコーンを使用する例を説明する図である。
【図３】本発明による実施例１である電子機器をコーンに装着した状態を示す斜視図である。
【図４】本発明による実施例２である電子機器をコーンに装着した状態を示す斜視図である。
【図５】本発明による実施例３である電子機器をコーンに装着した状態を示す斜視図である。
【発明を実施するための形態】
【０００９】
以下、図面を参照しつつ本発明による実施例の工事灯アセンブリについて説明する。なお、実施例において、実質的に同一の機能及び構成を有する構成要素については、同一の符号を付することにより重複説明を省略する。
【実施例１】
【００１０】
図１に示すように、道路ＲＤ上での工事現場等では車線規制等の標識目的で複数のコーン１０を設置するのが通常である。各コーン１０には走行車両からの視認性向上の為、工事灯２０の発光面が、走行車両に正対する方向（運転手から目視できる方向）に取り付けられている。
【００１１】
一方、コーン１０には、工事灯２０以外にも、発光部を有する電子機器４０を取付ける場合がある。図２に示すように、電子機器４０は、安全上、脇見運転防止の観点で走行車両の運転手が目視しにくいようあえて走行車両とは正対しない側に発光部２２を有する電子機器４０の正面を向けて設置されている。
【００１２】
さらに工事作業者による電子機器４０が有する発光部（インジケータ）の昼間の視認性を確保する必要があるが、日光による視認性低下の可能性がある。また電子機器４０の発光部の光が対向車線から見えるのは対向車ＯＣＣの運転手の安全上、脇見運転を誘発する可能性がある。
【００１３】
本発明者等は、発光部２２周辺に影を作ることで直射日光の影響を受けにくくなり視認性を向上させ、なお且つ、対向車ＯＣＣの運転手の目視がしにくく、気がつかないことで脇見運転を防止する電子機器のオーバーハング部構造を案出した。
【００１４】
図３に本発明の実施例を示す。電子機器４０は、発光部２２の発光を放射する窓部２２ａを前面に備え発光部２２の発光に関連する回路基板アセンブリを収納する筐体４０ａを含む。筐体４０ａの前面において、窓部２２ａの一方の側方及び上方から前方に突出するオーバーハング部４１、４２と、オーバーハング部４１、４２に隣接し且つ窓部２２ａが位置する凹部４３と、を備える。筐体４０ａの正面最外面にて、上部オーバーハング部４１と側部オーバーハング部４２は、水平方向において左右の部分で厚さが薄くなる曲面ＨＣを有している。筐体４０ａの後面にコーン１０への保持手段を備えている。なお、電子機器４０のコーン１０への設置方法については従来技術と同様であり、説明は省略する。
【００１５】
本実施例において、電子機器４０の発光部２２の発光面のみが、筐体４０ａの正面最外面すなわちオーバーハング部４１、４２より低く、発光部２２の発光面の上部オーバーハング部４１と側部オーバーハング部４２と同じ高さとなっており凹部４３に対して凹凸構造となっている。この凹凸構造を実現するためにあえて、電子機器４０に搭載する基板（回路基板アセンブリ）の部品配置や電子機器４０に内蔵される部品を部品高さで分けて配置している。すなわち、部品高の高い部品は発光部２２の発光面の上部オーバーハング部４１及び側部オーバーハング部４２に配置し、部品高の低い部品は、発光部２２の発光面近傍に集中して集め、発光部２２の発光面（凹部４３）と筐体４０ａの正面最外面（オーバーハング部４１、４２）の高さに凹凸を設けている。これにより、上部オーバーハング部４１と側部オーバーハング部４２つまり対向車線側（対向車ＯＣＣ側）を高く形成できるため、対向車ＯＣＣの運転手から目視しにくくなっている。よって、本実施例では、屋外に設置される電子機器の発光部の視認性を確保しつつ、発光部を臨む位置に応じて目視しにくくなる等、目視者の位置により視認性が変化する。
【００１６】
本構造を採用することで発光部２２の発光面には上部オーバーハング部４１の影響で直射日光が当たりにくくなり、日影になりやすいため発光部２２の視認性が向上する。また、側部オーバーハング部４２が対向車線側となることで、対向車線の運転手から目視しにくくなる。更に、発光部２２の発光面内部には、部品高の低い部品を搭載することで、図示しない基板上のＬＥＤ部品とＬＥＤ導光レンズまでの距離を短くし、より少ない消費電力でＬＥＤの輝度を確保することも可能となる。
【実施例２】
【００１７】
本実施例は、水平方向において左右の部分が厚さが薄くなる曲面ＨＣに代えて、図４に示すように、筐体４０ａの正面最外面にて、上部オーバーハング部４１と側部オーバーハング部４２は、水平方向において左右の部分が厚さが薄くなる共に鉛直方向において上下の部分が厚さが薄くなる曲面ＨＶＣを有している以外、実施例１と同一である。
【実施例３】
【００１８】
本実施例は、水平方向において左右の部分が厚さが薄くなる曲面ＨＣに代えて、図５に示すように、筐体４０ａの正面最外面にて、上部オーバーハング部４１と側部オーバーハング部４２は、水平方向及び鉛直方向において厚さが一定な平面ＰＬを有している以外、実施例１と同一である。
【００１９】
以上より、以上の実施例により、
１．発光部２２の発光面に上部オーバーハング部４１があることで直射日光が当たりにくくなり、発光部２２の視認性が向上する。発光部の発光面を低く、その上部を高くする凹凸構造とすることで直射日光を当たりにくくし、発光部の視認性を向上させる。
２．発光部２２の発光面に側部オーバーハング部４２があることで、対向車線の運転手から目視しにくく気がつきにくくなる。発光部の発光面を低く、その左部（左側走行の場合）を高くすることで、対向車線の運転手から目視しにくくする。
３．基板上のＬＥＤ部品とＬＥＤ導光レンズまでの距離が短くなるため、より少ない消費電力でＬＥＤの輝度を確保することが可能となる。
４．道路工事時に道路上に設置する機器の発光部の視認性に関する構造において、発光部の視認性向上と対向車線からの視認防止のために、厚さの薄い庇構造を形成する場合も考えられるが、厚さの薄い庇構造ではコーンが横転する場合もあるため、庇の強度が懸念される。しかし、本発明により、破損や破損部による怪我の恐れがなくなり、視認性向上の構造において強度を確保できる。
【００２０】
いずれの実施例によっても、筐体におけるオーバーハング部の幅や厚さを確保できるので、アンテナ機器や無線通信機器に好適である。
【００２１】
以上、いずれの実施例でも長方体の筐体に適用した例を用い説明したが、筐体の角部を面取りしたり、筐体の幅やアスペクト比を変えることにより、様々な形状の筐体を有している電子装置にも適用可能である。
【符号の説明】
【００２２】
２２…発光部
２２ａ…窓部
４０…電子機器
４０ａ…筐体
４１…上部オーバーハング部
４２…側部オーバーハング部
４３…凹部
【図１】
2019073936.tif 000003
【図２】
2019073936.tif 000004
【図３】
2019073936.tif 000005
【図４】
2019073936.tif 000006
【図５】
2019073936.tif 000007